(57)【要約】【課題】洗浄が終了したか否かを、より確実に且つ少ない手間で確認すること。【解決手段】混合物２は洗剤及びマーカー物質を含む。洗剤は対象物に付着した汚れを落とす際に用いられる。マーカー物質は、洗剤を用いて洗浄される対象物に付着する物質であり、その付着力が、対象物に付着する汚れ以上となる物質である。マーカー物質は、特定の波長帯の光に対する反射特性又は吸収特性が対象物と異なっている不溶性の物質である。撮影部２０２は洗剤及びマーカー物質の塗布後に洗浄された対象物を撮影する。判定部３０１は、撮影された対象物の画像においてマーカー物質が写っているマーカー領域の大きさに基づいて、その対象物の洗浄が終了したか否かを判定する。処理部３０２は判定部３０１が判定した結果に応じた処理を行う。【選択図】図２
2020076738.tif 000002
【特許請求の範囲】
【請求項１】
対象物に付着した汚れを落とす際に用いられる洗剤と、前記洗剤と共に前記対象物に塗布された場合に当該対象物に付着し、前記洗剤が洗い流されると洗浄の進み具合に応じた量が当該対象物から洗い落とされるマーカー物質との塗布後に洗浄された対象物を撮影する撮影部と、
撮影された前記対象物の画像において前記マーカー物質が写っている領域の大きさに基づいて、当該対象物の洗浄が終了したか否かを判定する判定部と、
前記判定部が判定した結果に応じた処理を行う処理部と
を備える衛生管理システム。
【請求項２】
前記処理部は、前記マーカー物質が写っている領域を表す画像を表示する処理を前記結果に応じた処理として行う
請求項１に記載の衛生管理システム。
【請求項３】
対象物に付着した汚れを落とす際に用いられる洗剤と、
前記洗剤と共に前記対象物に塗布された場合に当該対象物に付着し、前記洗剤が洗い流されると洗浄の進み具合に応じた量が当該対象物から洗い落とされるマーカー物質と
を含む混合物。
【請求項４】
請求項３に記載の混合物の２以上の材料を個別に収容するタンクと、
互いに隣接する２以上の吐出口を有するノズルと、
ユーザによって操作されるハンドルと、
前記ハンドルが操作されると、前記タンクに収容された前記２以上の材料を移送して前記２以上の吐出口からそれぞれ吐出させる吐出部と
を備える吐出容器。
【発明の詳細な説明】
【技術分野】
【０００１】
本発明は、洗浄の質を向上させるための技術に関する。
【背景技術】
【０００２】
特許文献１には、臭気などを検知可能な揮発性物質とともに手洗い剤が提供され、手洗
い後に手に擦り込まれた揮発性物質を検知するとそのことを通知する技術が記載されている。
【先行技術文献】
【特許文献】
【０００３】
【特許文献１】特表２０１０−５２９４６７号公報
【発明の概要】
【発明が解決しようとする課題】
【０００４】
特許文献１の発明では、ユーザが手洗いを行ったか否かが通知されるが、例え手洗いを行っていても、インフルエンザウィルスやノロウィルスなどの病原体は手に付着したまま残っていることがあり、それが原因で感染症を引き起こすことがある。しかし、こういった病原体は目に見えないため、手から除去されたかどうかを確認することは難しい。一方、蛍光体を含むローション等を手に塗り付け、それから洗剤を使って手を洗浄した後に紫外線を当てることで、ローションが付着したまま残っていて光った部分を洗い残しとして確認する技術がある。
【０００５】
しかし、例えば医療従事者や高度な食品衛生が求められる現場の従業員などは毎日何十回も手洗いを行わなければならない場合もあり、その度に上記の確認の作業を行っていると業務に差し支える。
そこで、本発明は、洗浄が終了したか否かを、より確実に且つ少ない手間で確認することを目的とする。
【課題を解決するための手段】
【０００６】
本発明は、対象物に付着した汚れを落とす際に用いられる洗剤と、前記洗剤と共に前記対象物に塗布された場合に当該対象物に付着し、前記洗剤が洗い流されると洗浄の進み具合に応じた量が当該対象物から洗い落とされるマーカー物質との塗布後に洗浄された対象物を撮影する撮影部と、撮影された前記対象物の画像において前記マーカー物質が写っている領域の大きさに基づいて、当該対象物の洗浄が終了したか否かを判定する判定部と、前記判定部が判定した結果に応じた処理を行う処理部とを備える衛生管理システムを提供する。
【０００７】
また、前記処理部は、前記マーカー物質が写っている領域を表す画像を表示する処理を前記結果に応じた処理として行ってもよい。
【０００８】
また、本発明は、対象物に付着した汚れを落とす際に用いられる洗剤と、前記洗剤と共に前記対象物に塗布された場合に当該対象物に付着し、前記洗剤が洗い流されると洗浄の進み具合に応じた量が当該対象物から洗い落とされるマーカー物質とを含む混合物を提供する。
【０００９】
また、本発明は、上記の混合物の２以上の材料を個別に収容するタンクと、互いに隣接する２以上の吐出口を有するノズルと、ユーザによって操作されるハンドルと、前記ハンドルが操作されると、前記タンクに収容された前記２以上の材料を移送して前
記２以上の吐出口からそれぞれ吐出させる吐出部とを備える吐出容器を提供する。
【発明の効果】
【００１０】
本発明によれば、洗浄が終了したか否かを、より確実に且つ少ない手間で確認することができる。
【図面の簡単な説明】
【００１１】
【図１】第１実施例の衛生管理システムの全体構成を表す図
【図２】マーカー物質が付着した手の写真の例を表す図
【図３】吐出容器の構成を表す図
【図４】撮影装置の構成を表す図
【図５】情報処理装置のハードウェア構成を表す図
【図６】衛生管理システムにおいて実現される機能構成を表す図
【図７】実験で用いた混合物の混合比を表す図
【図８】各被験者の手洗い回数と洗浄の進み具合との関係を表す図
【図９】表示された判定結果の一例を表す図
【図１０】判定結果に応じた処理が行われるまでの動作手順の一例を表す図
【図１１】第２実施例の衛生管理システムの全体構成を表す図
【図１２】サーバ装置のハードウェア構成を表す図
【図１３】衛生管理システムにおいて実現される機能構成を表す図
【図１４】記録された判定結果及びそれに対応付けられた情報の一例を表す図
【図１５】変形例で実現される機能構成を表す図
【図１６】変形例の撮影装置の機能構成を表す図
【図１７】変形例の吐出容器の外観を表す図
【図１８】正面から見た変形例の撮影装置を表す図
【図１９】側面から見た撮影装置を表す図
【発明を実施するための形態】
【００１２】
以下では、本発明の実施例である衛生管理システムについて説明する。衛生管理システムは、医療施設や食品工場、飲食店、学校、保育移設、介護施設などにおける衛生状態を管理するためのシステムである。本発明の衛生管理システムは、特に、手洗いや器具の洗浄などにおいて汚れ（細菌やウィルスなどを含む）をより確実に落とすことを支援する。
【００１３】
［１］第１実施例
図１は第１実施例の衛生管理システム１の全体構成を表す。衛生管理システム１は、混合物２を収容し、収容した混合物２を吐出する吐出容器１０と、撮影装置２０と、情報処理装置３０とを備える。撮影装置２０及び情報処理装置３０は、回線等で接続されて互いを相手としたデータの送受信を行う。
【００１４】
混合物２は、洗剤及びマーカー物質を含んでおり、本実施例では吐出容器１０から吐出される液体状の物体である。洗剤は、対象物に付着した汚れを落とす際に用いられる。混合物２に含まれる洗剤としては、例えば対象物が手であれば手洗い用の洗剤が用いられ、対象物が食器やまな板であれば食器洗い用の洗剤が用いられる。以下では単に「対象物」と言った場合、洗剤を用いて洗浄しようとする対象物を意味するものとする。本実施例では、手を対象物として、手洗い用の洗剤が用いられる。
【００１５】
洗剤の成分としては、例えば、アシルイセチオン酸塩、アシル乳酸塩、アルキルエーテル硫酸エステル塩、アルキルエーテルカルボン酸塩、アルキルスルホコハク酸塩、アルキル硫酸エステル塩、ポリオキシエチレンアルキルエーテルリン酸エステル、ポリオキシエチレンアルキルエーテル硫酸エステル、モノアルキルリン酸エステル塩、高級脂肪酸アル
カノールアミド硫酸エステル塩、α−オレフィンスルホン酸塩、Ｎ−アシルサルコシン塩、Ｎ−アシルグルタミン酸塩、Ｎ−アシルメチルアラニン塩、Ｎ−アシルメチルタウリン塩などのアニオン界面活性剤や、アミノプロピオン型両性界面活性剤、アミノ酢酸ベタイン型両性界面活性剤、イミダゾリン型両性界面活性剤、グリシン型両性界面活性剤、スルホベタイン型両性界面活性剤などの両性界面活性剤、脂肪酸モノエタノールアミド、脂肪酸ジエタノールアミドなどのノニオン界面活性剤などが適宜組み合わせて用いられる。また、洗剤の成分はこれらに限定されない。洗剤の成分としては、後述するマーカー物質の特性を変質させないものが用いられることが望ましい。
【００１６】
マーカー物質は、対象物から汚れが落ちたか否か、言い換えると、対象物の洗浄が終了したか否かについて判定する際の指標（マーカー）となる物質である。マーカー物質は、洗剤を用いて洗浄される対象物に付着する物質であり、その付着力が、対象物に付着する汚れ（利用者が洗剤を用いて対象物から落とそうとしている汚れ）以上となる物質である。汚れやマーカー物質の付着力は、例えば遠心分離法（遠心回転数を変化させて平面上に散布した粒子の残留率を利用する方法）や特開２０１３−１９７１４号公報に開示されている付着力測定方法などの周知の方法により測定される。
【００１７】
また、マーカー物質は、不溶性の物質、すなわち液体（特に水）に全く又はほとんど溶けない性質を有する物質である。例えばマーカー物質を対象物に付着させてその対象物に洗剤を塗布して洗浄し、流水で洗剤を洗い流したとする。この洗浄が不十分だと対象物に付着していた汚れが全ては落ちずに一部が付着したまま残ってしまう。その際、前述のとおり不溶性であり且つ付着力が汚れ以上であるマーカー物質も、水に溶けることなく対象物に付着したまま残ることになる。
【００１８】
マーカー物質は、特定の波長帯の光に対する反射特性又は吸収特性が対象物と異なっている。マーカー物質は、本実施例では、紫外線に対する反射特性が対象物と異なっており、具体的には、対象物よりも紫外線の反射率が大きくなっている。また、マーカー物質は、本実施例では透明の蛍光物である。そのため、自然光の中ではマーカー物質が付着している領域が容易には分からないが、周囲を暗くして対象物に紫外線を照射すると、対象物に比べてマーカー物質の方が明るく光って見えるため、マーカー物質が付着している領域が容易に分かるようになっている。マーカー物質としては、例えば株式会社アーテック製「手洗い上手専用ローション」（ＪＡＮコード：4521718021010）や、サラヤ株式会社製「手洗いチェッカーローション」（ＪＡＮコード：49-73512-41354-4）など、周知の物質が用いられる。
【００１９】
図２はマーカー物質が付着した手の写真の例を表す。図２では、利用者の手にマーカー物質を付着させて紫外線を照射し、その手を撮影した写真を各画素の輝度に基づいて２値化した画像が表されている。この２値化画像では、マーカー物質が付着している部分が白い領域で、それ以外の部分が黒い領域で表されている。
【００２０】
図３は吐出容器１０の構成を表す。吐出容器１０は、タンク１１と、ノズル１２と、ハンドル１３と、吐出部１４とを備える。タンク１１は混合物２を収容する。ノズル１２は吐出口を有し、吐出口から混合物２を吐出する。ハンドル１３は、ユーザによって操作される部位である。本実施例ではハンドル１３がノズル１２と一体に形成されてばね等により鉛直上方に向けて力が加えられている。このため、ユーザによってハンドル１３を押し下げる操作が行われる。吐出部１４は、ポンプ等を有し、ハンドル１３が操作される（押し下げられる）と、タンク１１内に圧力を生じさせ、タンク１１に収容された混合物２を移送してノズル１２の吐出口から吐出させる。このように、ユーザはハンドル１３を操作する（ワンプッシュする）だけで混合物２を対象物である自分の手に塗布することができる。
【００２１】
図４は撮影装置２０の構成を表す。撮影装置２０は、照射機構２１及び２４と、撮影機構２２及び２５と、センサ機構２３とを備える。照射機構２１及び２４は両照射機構に挟まれた空間Ａ１に向けて紫外線を照射する。撮影機構２２は空間Ａ１を照射機構２１側から撮影し、撮影機構２５は空間Ａ１を照射機構２４側から撮影する。センサ機構２３は赤外線の反射光を検知して空間Ａ１に例えば人の手が差し込まれたことを検知する。センサ機構２３がこの検知を行うことを契機として、両照射機構による紫外線の照射と両撮影機構による撮影とが行われる。撮影装置２０は、撮影機構２２及び２５がそれぞれ撮影した画像のデータを情報処理装置３０に供給する。
【００２２】
図５は情報処理装置３０のハードウェア構成を表す。情報処理装置３０は、制御部３１と、記憶部３２と、インターフェース３３と、表示部３４と、音出力部３５とを備えるコンピュータである。制御部３１は、ＣＰＵ（Central Processing Unit）、ＲＯＭ（Read Only Memory）、ＲＡＭ（Random Access Memory）及びリアルタイムクロックを備えている。ＣＰＵは、ＲＡＭをワークエリアとして用いてＲＯＭや記憶部３２に記憶されたプログラムを実行することによって各部を制御する。リアルタイムクロックは、現在の日時を算出する分類機能を有している。
【００２３】
記憶部３２は、ハードディスク等を備え、制御部３１が制御に用いるデータやプログラムなどを記憶する。インターフェース３３には撮影装置２０が電気的に接続される。表示部３４は、例えば液晶ディスプレイを有し、制御部３１が行う制御に基づいて表示面に画像を表示する。音出力部３５は、例えばスピーカを有し、制御部３１が行う制御に基づいて音を出力する。
【００２４】
情報処理装置３０の制御部３１がプログラムを実行することで以下に述べる機能が実現される。
図６は衛生管理システム１において実現される機能構成を表す。衛生管理システム１は、撮影装置２０によって実現される照射部２０１及び撮影部２０２と、情報処理装置３０によって実現される判定部３０１及び処理部３０２とを備える。照射部２０１は上述した特定の波長帯の光（マーカー物質と対象物とで反射特性又は吸収特性が異なる光）を対象物に照射する。照射部２０１は、本実施例では、図４に表す空間Ａ１に人の手が差し込まれたことを検知するとこの空間Ａ１に向けて紫外線を照射する。
【００２５】
撮影部２０２は洗剤及びマーカー物質の塗布後に洗浄された対象物を撮影する。撮影部２０２は、本実施例では、照射部２０１により紫外線が照射された対象物を撮影する。撮影部２０２は撮影した対象物を表す画像データを情報処理装置３０に供給する。照射部２０１は図４に表す照射機構２１、２４及びセンサ機構２３が協働することで実現され、撮影部２０２は撮影機構２２及び２５が協働することで実現される。
【００２６】
判定部３０１は、撮影された対象物の画像においてマーカー物質が写っているマーカー領域の大きさに基づいて、その対象物の洗浄が終了したか否かを判定する。発明者は、マーカー領域の大きさと洗浄の進み具合との関係を調べる実験を行った。その実験結果について図７及び図８を参照して説明する。
【００２７】
図７は実験で用いた混合物の混合比を表す。この実験では、洗剤としてライオン株式会社製「きれいきれい薬用液体ハンドソープ」（ＪＡＮコード：4903301176824）を、マーカー物質として株式会社アーテック製「手洗い上手専用ローション」（ＪＡＮコード：4521718021010）を用いた。そして、これらを異なる体積比で混ぜ合わせた混合物α（洗剤０％、マーカー物質７０％）、β（洗剤５０％、マーカー物質５０％）、γ（洗剤７０％、マーカー物質３０％）を被験者Ａ、Ｂ、Ｃの手にそれぞれ塗布して、最大で３回まで繰
り返し手洗いを行った。
【００２８】
図８は各被験者の手洗い回数と洗浄の進み具合との関係を表す。図８（ａ）では混合物α、図８（ｂ）では混合物β、図８（ｃ）では混合物γを用いた実験結果が表されている。被験者Ａ、Ｂ、Ｃの洗浄時間を６０秒、３０秒、１５秒とそれぞれ異ならせることで、各被験者の洗浄の進み具合に差が出るようにした。１回目は混合物２を塗布してから手洗いを行い、２回目以降は水洗いのみを行い、各回の手洗いの後に被験者とは別の担当者がマーカー領域の残り具合を判断した。「◎」はマーカー領域が完全になくなったと判断されたことを表し、「○」はマーカー領域がわずかに残っていると判断されたことを表す。「△」はマーカー領域が残っていると判断されたことを表し、「×」はマーカー領域がかなり残っていると判断されたことを表す。「−」はマーカー領域が完全になくなったため洗浄を行わなかったことを表す。
【００２９】
混合物αでの実験では、被験者Ａの１、２、３回目の洗浄の進み具合がそれぞれ「○」、「○」、「◎」であった。つまり１回目と２回目に洗浄した段階ではマーカー領域がわずかに残っていると判断され、３回目に洗浄した段階でマーカー領域が完全になくなったと判断された。同様に、被験者Ｂの洗浄の進み具合がそれぞれ「△」、「○」、「◎」であり、被験者Ｃの洗浄の進み具合がそれぞれ「×」、「△」、「○」であった。混合物βでの実験では、被験者Ａの洗浄の進み具合がそれぞれ「◎」、「−」、「−」であり、被験者Ｂの洗浄の進み具合がそれぞれ「○」、「◎」、「−」であり、被験者Ｃの洗浄の進み具合がそれぞれ「△」、「△」、「○」であった。混合物γでの実験では、被験者Ａの洗浄の進み具合がそれぞれ「◎」、「−」、「−」であり、被験者Ｂの洗浄の進み具合がそれぞれ「◎」、「−」、「−」であり、被験者Ｃの洗浄の進み具合がそれぞれ「○」、「○」、「○」であった。
【００３０】
マーカー物質として用いた「手洗い上手専用ローション」は、従来は、これだけを先に手に塗布して、その後に洗剤を塗布して用いられている。しかし、上記実験の結果から、マーカー物質の体積比をある程度大きくすれば（この実験では例えば５０％以上）、洗剤と混合させて対象物に塗布しても、汚れと同様に、洗浄後に対象物に付着し続けて残ることが分かった。これはつまり、混合物２に含まれるマーカー物質が、対象物の洗浄が終了したか否かについて判定する際の指標（マーカー）となり得ることを意味している。
【００３１】
また、例えば混合物αの１回目の各被験者の洗浄の進み具合を比べると、洗浄時間が最も短い被験者Ｃは「×」であり、被験者Ｂ、Ａと洗浄時間が長くなるにつれて「△」、「○」と洗浄が進んだことを表す結果が得られた。また、例えば混合物αの被験者Ｂの１、２、３回目の洗浄の進み具合を比べると、「△」、「○」、「◎」と洗浄を重ねるほど洗浄が進んだことを表す結果が得られた。このように、混合物２の塗布後に洗浄された対象物のマーカー領域は、洗浄時間が長いほど小さくなり、また、洗浄回数が多いほど小さくなることが分かった。そして、洗浄時間が長く洗浄回数が多いほど洗浄が進んでいることを表すから、マーカー領域の大きさは洗浄の進み具合を表すことがこの実験から分かった。
【００３２】
また、混合物２におけるマーカー物質の体積比を大きくするほどマーカー物質が落ちにくくなるので、より長時間の洗浄又はより強い力での洗浄が必要となる。その結果、洗浄の終了が判定されたときに、より多くの汚れを落とすことができるし、より細かい汚れまで落とすことができる。従って、マーカー物質の体積比は、その施設で求められる衛生管理の厳しさ（又は落とさなければならない汚れの程度）に応じて決められればよい。
【００３３】
判定部３０１は、例えば撮影された対象物の画像を輝度の第１閾値を用いて図２の例のように２値化し、その２値化画像からマーカー領域の面積を算出する。そして、判定部３
０１は、算出したマーカー領域の面積が第２閾値以下である場合に、洗浄が終了したことを判定する。第２閾値は０とすることが望ましいが、例えばマーカー物質が対象物に残っていないのに撮影装置２０の設置場所の光の加減により２値化画像から白い領域がなくならないような場合に、０よりも大きな値を用いてもよい。また、第１閾値を大きくするほどマーカー領域の面積が小さくなるため、洗浄が終了したと判定されやすくなる。第１閾値及び第２閾値も、マーカー物質の体積比と同様に、その施設で求められる衛生管理の厳しさに応じて定められればよい。判定部３０１は、判定した結果（洗浄が終了したか否か）を処理部３０２に通知する。
【００３４】
処理部３０２は判定部３０１が判定した結果に応じた処理を行う。処理部３０２は、本実施例では、判定部３０１が判定した結果を報知する処理を行う。処理部３０２は、例えば、判定した結果を表示部３４に表示することで報知を行う。
図９は表示された判定結果の一例を表す。図９（ａ）の例では、表示部３４の画面の上方に「手洗い結果：洗い残しがあります」という判定の結果を表す文字列Ｂ１が表示されている。上述した判定部３０１による判定の処理及び処理部３０２による表示の処理は、例えばユーザが撮影装置２０に差し込んだ手を引き抜くまでの間に行われる。こうしてユーザに対して洗浄が終了してないことを報知することで、再度手洗いをするようにユーザに促すことができる。
【００３５】
また、図９（ａ）の例では、「白色の部分をよく洗ってください」という文字列と、撮影部２０２によって撮影された写真の２値化画像Ｂ２とが表示されている。このように、本実施例では、処理部３０２が、判定に用いた対象物の画像を表示する処理も行っている。なお、図９（ｂ）の例のように、撮影部２０２によって撮影された写真そのものを表す写真画像Ｂ３と、「光っている部分をよく洗ってください」という文字列とが表示されていてもよい。いずれの場合も、ユーザは具体的に対象物（この場合は手）のどこを洗えばよいのかを知ることができ、これらの画像が表示されない場合に比べて効率よく再度の洗浄をすることができる。なお、判定の結果については、文字列での表示に加え又は代えて、音（ビープ音や人間の声）で報知してもよいし、振動や光の点滅などで報知してもよい。いずれの場合も、マーカー物質の洗い残しがあることをユーザが気づくように報知が行われることが望ましい。
【００３６】
図１０は判定結果に応じた処理が行われるまでの動作手順の一例を表す。この動作手順は、ユーザが混合物２を塗布して手を洗い、その手洗いが終わった後の手を撮影装置２０に差し込むことを契機に開始される。まず、撮影装置２０が、ユーザの手の差込みを検知する（ステップＳ１１）。次に、撮影装置２０は、紫外線を照射して（ステップＳ１２）、差し込まれた手を撮影する（ステップＳ１３）。撮影装置２０は、撮影した画像のデータを情報処理装置３０に供給する（ステップＳ１４）。情報処理装置３０は、供給されたデータが表す画像に基づいて対象物の洗浄が終了したか否かを判定し（ステップＳ１５）、その判定結果に応じた処理を行う（ステップＳ２０）。
【００３７】
以上のとおり、本実施例では、マーカー物質を含む混合物２を手に塗布してから手洗いをすることで、図９に表すようなマーカー領域を汚れが残っていそうな箇所として確認することができる。そのため、例えば洗剤だけを手に付けて手洗いをする場合に比べて、洗浄が終了したか否かを、より確実に確認することができる。さらに、ユーザは混合物だけを塗布すればよいので、例えばマーカー物質と洗剤とを別々に手に塗布する場合に比べて、洗浄が終了したか否かを、より少ない手間で確認することができる。また、この混合物２を塗布するための操作が、上述した吐出容器１０のハンドル１３に対する１度の操作だけでよいので、例えば洗剤とマーカー物質とが別々の容器に収容されていて２度の操作が必要な場合に比べて、洗浄が終了したか否かを、より少ない手間で確認することができる。
【００３８】
［２］第２実施例
本発明の第２実施例について、以下、第１実施例と異なる点を中心に説明する。第２実施例では、判定結果に応じた処理として、上述した報知以外の処理も行われる。以下では、食品工場で衛生管理システムが利用される場合を説明する。
【００３９】
図１１は第２実施例の衛生管理システム１ａの全体構成を表す。衛生管理システム１ａは、工場内に設けられたＬＡＮ（Local Area Network）５と、複数の撮影装置２０と、複数の情報処理装置３０と、サーバ装置４０とを備える。撮影装置２０及び情報処理装置３０の組は、食品工場内の複数の手洗い場所にそれぞれ設置されている。複数の情報処理装置３０は、ＬＡＮ５を介してサーバ装置４０とそれぞれデータをやり取りする。
【００４０】
図１２はサーバ装置４０のハードウェア構成を表す。サーバ装置４０は、制御部４１と、記憶部４２と、通信部４３とを備える。制御部４１は図５に表す制御部３１と同様の、記憶部４２は記憶部３２と同様のハードウェアである。通信部４３はＬＡＮを介した通信を行う。制御部４１がプログラムを実行することで以下に述べる機能が実現される。
【００４１】
図１３は衛生管理システム１ａにおいて実現される機能構成を表す。衛生管理システム１ａは、それぞれが情報処理装置３０によって実現される複数の判定部３０１と、サーバ装置４０によって実現される処理部４０１とを備える。複数の判定部３０１は、それぞれ、判定した結果を表す結果データをサーバ装置４０に供給する。その際、判定部３０１は、自装置を識別する装置識別データと、判定した日時を表す日時データと、判定に用いた対象物の画像データとをともにサーバ装置４０に供給する。なお、日時データが表す日時は、対象物の撮影が行われた日時でもよいし、結果データをサーバ装置４０に供給するときの日時でもよい。
【００４２】
処理部４０１は、情報処理装置３０から供給されるデータに基づいて、判定部３０１が判定した結果を記録する処理を、判定結果に応じた処理として行う。処理部３０２は、より詳細には、判定対象の洗浄が行われた場所及び日時と、判定が行われた対象物を洗浄したユーザとに対応付けて、その判定の結果を記録する。
【００４３】
図１４は記録された判定結果及びそれに対応付けられた情報の一例を表す。この例では、「判定結果」に「場所」、「日時」及び「ユーザＩＤ」が対応付けられている。処理部４０１は、供給された結果データが示す判定結果に、ともに供給された日時データが示す日時を対応付けて記録する。この例では、「判定結果」が「○」なら洗浄が終了したと判定されたことを、「×」なら洗浄が終了していないと判定されたことを表す。「×、〇」は、１回目の判定が「×」で２回目の判定が「○」であったことを表し、「×、×、〇」は、１、２回目の判定が「×」で３回目の判定が「○」であったことを表す。この場合の「日時」は最初の判定時の日時でもよいし、最後の判定時の日時でもよい。
【００４４】
サーバ装置４０の記憶部４２には、装置識別データをそれによって識別される情報処理装置３０の設置場所とを対応付けたテーブルが記憶されている。処理部４０１は、結果データとともに供給された装置識別データにそのテーブルで対応付けられた設置場所を判定結果に対応付けて記録する。また、記憶部４２には、各ユーザの手を撮影した画像がユーザＩＤに対応付けて予め記憶されている。処理部４０１は、結果データとともに供給された画像データが表す手の画像と、予め記憶されたそれらの手の画像とをパターンマッチングし、類似度が最も高かった画像に対応付けられたユーザＩＤを判定結果に対応付けて記録する。このように、処理部４０１は、撮影部２０２により撮影された対象物に基づいて、判定部３０１による判定が行われた対象物を洗浄したユーザを識別する処理を行う。そして、処理部４０１は、その処理により識別したユーザに対応付けてその判定の結果を記
録する。
【００４５】
食品工場などでは、衛生管理を行っていることやコンプライアンスを遵守していることを外部に示すため、従業員が手洗いを行ったことを記録する場合がある。本実施例では、単に手洗いが行われたことだけでなく、判定結果として「○」が記録されることで、手の全体からマーカー物質が洗い落とされるまで手洗いが行われたことが記録される。これにより、単に手洗いの有無を記録する場合に比べて衛生管理がより高い水準で行われていることを証明することができる。また、判定結果がユーザに対応付けて記録されるので、例えば「○」と判定されるまでに手間取っているユーザに対して手洗い方法を指導するなど、各ユーザの洗浄の技術に応じた指導を行うことができる。また、ユーザの識別を撮影された対象物に基づいて行っているので、ユーザは手洗いの度に自分を識別させるための操作（ユーザＩＤの入力やＩＤカードの読み取りなど）を行う必要がなく、それらの操作が必要である場合に比べて、洗浄の際のユーザの手間を少なくすることができる。
【００４６】
［３］変形例
上述した各実施例はそれぞれが本発明の実施の一例に過ぎず以下のように変形させてもよい。また、上述した各実施例及び以下に示す各変形例は必要に応じてそれぞれ組み合わせて実施してもよい。
【００４７】
［３−１］入室管理
処理部は、判定結果に応じた処理として、実施例とは異なる処理を行ってもよい。例えば、図６に表す処理部３０２が、判定部３０１が判定した結果が所定の条件を満たさなかった場合に、その判定が行われた対象物を洗浄したユーザの決められた領域への進入を制限する処理を行う。この領域としては、例えば医療施設であれば手術室等、食品工場であれば生産ラインが設置された部屋等というように、施設内でもより雑菌（細菌及びウィルス等）の侵入を防がなければならない領域が決められる。
【００４８】
図１５は本変形例で実現される機能構成を表す。図１５では、情報処理装置３０の他に、錠前装置５０が表されている。錠前装置５０は、上記の領域への出入り口の扉の錠前５０１と、その錠前を電子的に制御して施錠させたり開錠させたりする制御機構５０２とを備える。情報処理装置３０の処理部３０２は、判定部３０１から洗浄が終了したという判定結果が通知された場合には、扉を開けられる状態にするよう制御機構５０２に対して指示する処理を行う。制御機構５０２は、この指示を受け取ると、扉が施錠されていなければその状態を維持し、施錠されていれば開錠する。
【００４９】
また、処理部３０２は、判定部３０１から洗浄が終了していないという判定結果が通知された場合には、扉を開けられない状態にするよう制御機構５０２に対して指示する処理を行う。制御機構５０２は、この指示を受け取ると、扉が施錠されていなければ施錠を行い、既に施錠されていればその状態を維持する。こうして処理部３０２は上記領域への進入を制限する処理を行う。これにより、手洗いはしたものの洗浄が終了したと判定されないような洗い方であったユーザを上記領域に入れないようにすることができ、その結果、本変形例のように上記領域への進入を制限しない場合に比べて、この領域内を清潔に保ちやすくすることができる。
【００５０】
［３−２］エアータオル
撮影機構は実施例と異なる装置に設けられていてもよい。
図１６は本変形例の撮影装置２０ｂの機能構成を表す。撮影装置２０ｂは、図６に表す各部に加えて吹付部２０３を備える。吹付部２０３は、ファン及びモータ等を有するいわゆるエアータオルであり、対象物に気体を吹き付ける。吹付部２０３は、例えば図４に表す空間Ａ１に向けて気体を吹き付ける位置に設けられ、人の手が差し込まれたことを検知
するとこの空間Ａ１に向けて気体を吹き付ける。
【００５１】
撮影部２０２は、吹付部２０３により気体が吹き付けられている対象物を撮影する位置に設けられ、吹付部２０３から気体が吹き付けられる位置に対象物が移動してくるとその対象物を撮影する。これにより、ユーザが洗浄した手を乾かしているときに対象物の撮影が行われて洗浄が終了したか否かの判定が行われ、手の乾燥と判定のための光の照射が別々に行われる場合に比べてユーザの手間を少なくすることができる。
【００５２】
［３−３］吐出容器
吐出容器は実施例と異なる形状であってもよい。例えばノズルとハンドルとが一体になっておらず、分かれていてもよい。また、ハンドルが押し下げられたときに混合物２が吐出されるのではなく、ハンドルを引っ張ったときや回転させたときに混合物２が吐出されてもよい。また、洗剤及びマーカー物質が異なる吐出口から吐出されてもよい。
【００５３】
図１７は本変形例の吐出容器１０ｃの外観を表す。吐出容器１０ｃは、タンク１１ｃと、ノズル１２ｃと、ハンドル１３ｃと、吐出部１４ｃとを備える。タンク１１ｃは、混合物２の２以上の材料を個別に収容する。２以上の材料は、例えば洗剤３ｃ及びマーカー物質４ｃである。なお、これに限らず、例えば混ぜると洗剤又はマーカー物質となる材料が含まれていてもよい。ノズル１２ｃは、互いに隣接する２以上の吐出口を有する。ノズル１２ｃは、この例では上側の吐出口１２１ｃと下側の吐出口１２２ｃとを有する。
【００５４】
ハンドル１３ｃは、２以上の材料の吐出させる際にユーザが操作する部位である。ハンドル１３ｃは、実施例と同様に、ばね等により鉛直上方に向けて力が加えられている。吐出部１４ｃは、ハンドル１３ｃが操作されると（押し下げられると）、タンク１１ｃに収容された２以上の材料を移送して２以上の吐出口であり吐出口１２１ｃ及び１２２ｃからそれぞれ吐出させる。図１７では、タンク１１ｃに収容された洗剤が吐出口１２１ｃまで移送されるチューブ１４１ｃとマーカー物質が吐出口１２１ｃまで移送されるチューブ１４２ｃとが破線で表されている。吐出部１４ｃは、図示せぬポンプが生じさせた圧力により各材料（洗剤及びマーカー物質）をこれらのチューブを通して各ノズルまで移送する。
【００５５】
このように２以上の材料を個別に収容させることで、各材料をそれぞれ補充することができる。また、洗剤及びマーカー物質を別々の吐出口から吐出させることで、これらを混ぜてから吐出させる場合に比べて、洗剤と混ざる前に対象物に付着するマーカー物質が増えるので、洗浄後に対象物に残るマーカー物質を増やすこと、すなわちマーカー領域をより大きくすることができる。これにより、各材料を混ぜてから吐出させる場合に比べて、必要なマーカー物質を少なくすることができる。
【００５６】
吐出容器１０ｃにおいては、ポンプが生じさせた圧力が洗剤３ｃ及びマーカー物質４ｃの界面に均等に加わるようになっている。そのため、その圧力により各材料がチューブ内を移送される距離は概ね等しくなるので、チューブ１４１ｃ及び１４２ｃの断面積が共通していると、吐出される洗剤３ｃ及びマーカー物質４ｃの体積比は概ね１：１になる。この体積比を変える場合は、両チューブの断面積の比率を変えればよい（断面積が大きいほど体積比も大きくなる）。例えば、体積比を洗剤３ｃ：マーカー物質４ｃを１：４にする場合は、チューブ１４１ｃの断面積をチューブ１４２ｃの断面積の４分の１にすればよい。このようにして、本変形例の吐出容器から吐出される洗剤３ｃ及びマーカー物質４ｃの体積比を制御することができる。
【００５７】
また、上記の場合に、チューブ１４１ｃ及び１４２ｃの長さを等しくしておくことで、洗剤３ｃ及びマーカー物質４ｃが同じタイミングで吐出されることになる。ここで、界面から吐出口までのチューブの長さがチューブ１４２ｃの方が短くなるようにしておくこと
で、マーカー物質４ｃの方が先に吐出されるようにしてもよい。これにより、吐出タイミングが同じ場合に比べて、マーカー物質４ｃが手により多く付着して手洗い後も残りやすいようにすることができる。
【００５８】
［３−４］混合物の形態
混合物は、実施例では液体状の物体であったが、これに限らない。例えば、泡状の物体であってもよい。また、石鹸のような固体状の物体であってもよいし、霧状にして対象物に吹きかけられる物体であってもよい。要するに、洗剤及びマーカー物質を含んで対象物に塗布することができるものであれば、混合物はどのような形態であってもよい。なお、混合物が固体状の物体である場合、洗剤及びマーカー物質の体積比（質量比でもよい）としては、混合物を製造する過程で洗剤及びマーカー物質を混合する前の時点での体積比が用いられればよい。また、混合物が霧状の物体であっても、タンクには液状で収容されていれば、その液状の状態に行ける体積比が用いられればよい。
【００５９】
［３−５］マーカー物質
マーカー物質は実施例で述べたものに限らない。例えば、実施例ではマーカー物質は対象物よりも紫外線の反射率が大きい透明な物質であったが、赤外線の反射率が対象物よりも大きい透明な物質であってもよいし、可視光の反射率が対象物よりも大きい有色の物質であってもよい。また、マーカー物質は、これら特定の波長帯の光の吸収率が対象物よりも大きい物質であってもよいし、それらの光の反射率又は吸収率が対象物よりも小さい物質であってもよい。
【００６０】
いずれの場合も、特定の波長帯の光を対象物に照射することで、対象物とマーカー物質との明るさに違いが生じるのでマーカー領域を認識することができる。また、マーカー物質が有色である場合、紫外線を照射させなくてもマーカー領域を確認することができる。また、マーカー物質が有色である場合には、手を洗っている最中にも洗い残している箇所を確認することができる。これに対し、実施例のようにマーカー物質が透明な場合には、手を洗っている最中に洗い残している箇所を確認することはできないが、その状態でも洗い残しをなくすような手の洗い方を訓練することができる。
【００６１】
［３−６］各機能を実現する装置
図６に表す各機能は、実施例とは異なる装置によって実現されてもよい。例えば図６に表す照射部２０１、撮影部２０２、判定部３０１及び処理部３０２が１つの装置によって実現されてもよいし、それぞれ異なる装置によって実現されてもよい。これは図１５に表す各機能についても同様である。また、図１３に表す処理部４０１を複数の情報処理装置３０のうちの１つが実現してもよい。要するに、衛生管理システム全体としてこれらの機能が実現されていればよい。
【００６２】
［３−７］撮影装置
撮影装置の構成は実施例で述べたものに限らない。
図１８は正面から見た本変形例の撮影装置２０ｄを表し、図１９は側面から見た撮影装置２０ｄを表す。撮影装置２０ｄは、照射機構２１ｄと、撮影機構２２ｄと、モニター２３ｄと、吐出機構２４ｄと、流水機構２５ｄと、送風機構２６ｄと、シンク２７ｄとを備える。照射機構２１ｄは、空間Ａ１ｄに向けて紫外線を照射する。撮影機構２２ｄは、空間Ａ１ｄに差し込まれたユーザの手を撮影する。
【００６３】
モニター２３ｄは、撮影機構２２ｄが撮影した画像を表示する。吐出機構２４ｄ、流水機構２５ｄ及び送風機構２６ｄは、いずれも人感センサを備え、その人感センサでユーザの手が接近したことを検知する。手の接近を検知すると、吐出機構２４ｄは混合物２を吐出し、流水機構２５ｄは水を出し、送風機構２６ｄは風を送り出す。ユーザは、吐出機構
２４ｄから吐出された混合物２を手に塗布し、流水機構２５ｄから出てきた水で手洗いを行い、送風機構２６ｄから送り出される風で手を乾かす。シンク２７ｄは、手洗いに使われた水や混合物２を排出する。この例によれば、ユーザは、混合物２の塗布から手洗い、手の乾燥、手洗いの終了の確認までを同じ場所で行うことができる。
【００６４】
［３−８］洗剤及びマーカー物質
衛生管理システムで用いられる洗剤及びマーカー物質は、必ずしも混合されていなくてもよい。その場合でも、例えば混合物ではなく洗剤だけで手洗いをした場合や、混合物を塗布して手洗いを行ったユーザ自身がマーカー領域の大きさに基づいて洗浄が終了したか否かを判断する場合に比べれば、図６に表す撮影部２０２、判定部３０１、処理部３０２が動作して判定結果を報知する処理が行われることで、洗浄が終了したか否かを、より確実に且つ少ない手間で確認することができる。
【００６５】
［３−９］発明のカテゴリ
本発明は、実施例等で述べた洗剤及び容器（洗剤容器）として捉えられる。また、本発明は、撮影装置、情報処理装置及びサーバ装置という各装置の他にも、図６等に示す各機能を実現する各種の装置としても捉えられるし、それらの装置を備える衛生管理システムのようなシステムとしても捉えられる。また、本発明は、それらの装置が実施する処理を実現するための情報処理方法としても捉えられるし、それらの装置を制御するコンピュータを機能させるためのプログラムとしても捉えられる。このプログラムは、それを記憶させた光ディスク等の記録媒体の形態で提供されてもよいし、インターネット等のネットワークを介してコンピュータにダウンロードさせ、それをインストールして利用可能にするなどの形態で提供されてもよい。
【符号の説明】
【００６６】
１…衛生管理システム、２…混合物、３ｃ…洗剤、４ｃ…マーカー物質、１０…吐出容器、２０…撮影装置、３０…情報処理装置、４０…サーバ装置、１１…タンク、１２…ノズル、１３…ハンドル、１４…吐出部、２１、２４…照射機構、２２、２５…撮影機構、２３…センサ機構、３１、４１…制御部、３２、４２…記憶部、３３…インターフェース、３４…表示部、３５…音出力部、４３…通信部、２０１…照射部、２０２…撮影部、３０１…判定部、３０２、４０１…処理部。
【図１】
2020076738.tif 000003
【図２】
2020076738.tif 000004
【図３】
2020076738.tif 000005
【図４】
2020076738.tif 000006
【図５】
2020076738.tif 000007
【図６】
2020076738.tif 000008
【図７】
2020076738.tif 000009
【図８】
2020076738.tif 000010
【図９】
2020076738.tif 000011
【図１０】
2020076738.tif 000012
【図１１】
2020076738.tif 000013
【図１２】
2020076738.tif 000014
【図１３】
2020076738.tif 000015
【図１４】
2020076738.tif 000016
【図１５】
2020076738.tif 000017
【図１６】
2020076738.tif 000018
【図１７】
2020076738.tif 000019
【図１８】
2020076738.tif 000020
【図１９】
2020076738.tif 000021